(57)【要約】【課題】外出時に合鍵の所持が不要でかつ住人が替わったときなどの鍵の変更が容易な、携帯電話機を利用したセキュリティシステムを実現する。【解決手段】携帯電話機２と錠部１の双方に赤外線通信部２７と赤外線通信部１５を設けて交信可能としておく。ユーザが入力キー２３から暗号コードを入力するとそれは記憶装置２２にセットされ、また赤外線通信部２７、１５経由で記憶装置１３にもセットされる。錠１１の開閉を行うときは、携帯電話機２で入力キー２３から暗号コードと開／閉信号を入力してこれを赤外線通信部２７、１５経由で錠部１へ送信し、錠部２では受信した暗号コードと記憶装置１３にセットされた暗号コードとが一致したときだけ受信した開／閉信号に従って錠１１の開閉を行う。【選択図】　　　　図１
2004124628.tif 000002
【特許請求の範囲】
【請求項１】
携帯電話機と電子的に開閉を制御できる錠を備えた錠部とからなるセキュリティシステムであって、
前記携帯電話機は、第１暗号コード設定手段と、この手段により設定された暗号コードを保持する第１メモリと、第１赤外線通信手段と、前記第１メモリに設定された暗号コードを含む暗号コード設定信号を前記第１赤外線通信手段を介して前記錠部へ送信する第１送信手段と、前記第１メモリに設定された暗号コードを含む錠制御信号を前記第１赤外線通信手段を介して前記錠部へ送信する第２送信手段とを備え、
前記錠部は、前記携帯電話機の第１赤外線通信手段と交信可能な第２赤外線通信手段と、第２メモリと、前記第２赤外線通信手段により前記暗号コード設定信号が受信されるとその暗号コード設定信号に含まれる暗号コードを前記第２メモリに設定する第２暗号コード設定手段と、前記第２赤外線通信手段により前記錠制御信号が受信されるとその錠制御信号に含まれる暗号コードと前記第２メモリに設定された暗号コードとを照合する暗号コード照合手段と、この手段による照合結果が一致であったとき前記錠の開閉制御を行う開閉制御手段と、
を備えたことを特徴とするセキュリティシステム。
【請求項２】
請求項１に記載のセキュリティシステムにおいて、前記携帯電話機に、錠開閉モードとして手動モード又は自動モードのいずれかを前記第１メモリに設定する第１錠開閉モード設定手段と、前記第１メモリに設定された錠開閉モードを前記第１赤外線通信手段を介して前記錠部へ送信する第３送信手段と、前記手動モードが前記第１メモリに設定されているときに暗号コード及び開閉信号を前記錠制御信号として入力する入力手段と、この手段により入力された錠制御信号を第２送信手段が前記第１赤外線通信手段を介して前記錠部へ送信するように制御する第１送信制御手段と、前記自動モードが前記第１メモリに設定されているときに前記第１メモリに設定されている暗号コードを含む錠制御信号を第２送信手段が前記第１赤外線通信手段を介して前記錠部へ常時送信するように制御する第２送信制御手段とを設け、
前記錠部に、前記第２赤外線通信手段により前記錠開閉モードが受信されるとその錠開閉モードを前記第２メモリに設定する第２錠開閉モード設定手段と、前記第２赤外線通信手段により受信した信号の受信レベルを検出するレベル検出手段とを設けるとともに、前記手動モードが前記第２メモリに設定されているときに前記第２送信手段からの前記錠制御信号が前記第２赤外線通信手段により受信されかつ当該受信錠制御信号に含まれる暗号コードと前記第２メモリに設定された暗号コードとの一致が前記暗号コード照合手段により確認されたときには、前記開閉制御手段は前記受信錠制御信号に含まれる開閉信号に応じて前記錠の開閉制御を行い、前記自動モードが前記第２メモリに設定されているときに前記第２送信手段からの前記錠制御信号が前記第２赤外線通信手段により受信されかつ当該受信錠制御信号に含まれる暗号コードと前記第２メモリ設定された暗号コードとの一致が前記暗号コード照合手段により確認されたときには、前記開閉制御手段は前記レベル検出手段により検出された受信レベルが所定の第１レベルより小さいときは前記錠を閉とし、前記受信レベルが前記第１レベルより大きな値に定められた第２レベルより大きいときは前記錠を開とするように制御する機能を有したことを特徴とするセキュリティシステム。
【発明の詳細な説明】
【０００１】
【発明の属する技術分野】
本発明は、携帯電話機を用いたセキュリティシステムに関わり、特にマンションやアパートなどのドア開閉に適したセキュリティシステムに関する。
【０００２】
【従来の技術】
マンションやアパート、あるいは一戸建て住宅等では、玄関等の錠は合鍵によって開閉される機械的構造物が多く使用されており、錠はドア等に埋め込まれて設置されている。また、入居者は、外出時には合鍵を所持している。
【０００３】
【発明が解決しようとする課題】
マンションやアパート等では入居者が変わることが珍しくない。この場合、新入居者にとっては、旧入居者が合鍵を持っているかもしれないから、玄関等のドアの錠が取り換えられた方が安心である。しかし、通常用いられている機械的構造の錠を取り換えるのは、工事に手間がかかり、大きな費用もかかる。複数個の錠が取り付けられている場合には、取り換えの手間、費用が大きくなる。また、外出時に合鍵を所持するのは、服装や他の所持品の状況によってはかさばって好ましくないことがある。
【０００４】
本発明の目的は、入居者が変わったときなどの「鍵」の変更が容易で、かつ外出時に携帯電話機を所持していればとくに合鍵を持っている必要をなくしたセキュリティシステムを提供することにある。
【０００５】
【課題を解決するための手段】
本発明は、携帯電話機と電子的に開閉を制御できる錠を備えた錠部とからなるセキュリティシステムであって、
前記携帯電話機は、第１暗号コード設定手段と、この手段により設定された暗号コードを保持する第１メモリと、第１赤外線通信手段と、前記第１メモリに設定された暗号コードを含む暗号コード設定信号を前記第１赤外線通信手段を介して前記錠部へ送信する第１送信手段と、前記第１メモリに設定された暗号コードを含む錠制御信号を前記第１赤外線通信手段を介して前記錠部へ送信する第２送信手段とを備え、
前記錠部は、前記携帯電話機の第１赤外線通信手段と交信可能な第２赤外線通信手段と、第２メモリと、前記第２赤外線通信手段により前記暗号コード設定信号が受信されるとその暗号コード設定信号に含まれる暗号コードを前記第２メモリに設定する第２暗号コード設定手段と、前記第２赤外線通信手段により前記錠制御信号が受信されるとその錠制御信号に含まれる暗号コードと前記第２メモリに設定された暗号コードとを照合する暗号コード照合手段と、この手段による照合結果が一致であったとき前記錠の開閉制御を行う開閉制御手段と、
を備えたことを特徴とするセキュリティシステムを開示する。
【０００６】
更に本発明は、セキュリティシステムにおいて、前記携帯電話機に、錠開閉モードとして手動モード又は自動モードのいずれかを前記第１メモリに設定する第１錠開閉モード設定手段と、前記第１メモリに設定された錠開閉モードを前記第１赤外線通信手段を介して前記錠部へ送信する第３送信手段と、前記手動モードが前記第１メモリに設定されているときに暗号コード及び開閉信号を前記錠制御信号として入力する入力手段と、この手段により入力された錠制御信号を第２送信手段が前記第１赤外線通信手段を介して前記錠部へ送信するように制御する第１送信制御手段と、前記自動モードが前記第１メモリに設定されているときに前記第１メモリに設定されている暗号コードを含む錠制御信号を第２送信手段が前記第１赤外線通信手段を介して前記錠部へ常時送信するように制御する第２送信制御手段とを設け、
前記錠部に、前記第２赤外線通信手段により前記錠開閉モードが受信されるとその錠開閉モードを前記第２メモリに設定する第２錠開閉モード設定手段と、前記第２赤外線通信手段により受信した信号の受信レベルを検出するレベル検出手段とを設けるとともに、前記手動モードが前記第２メモリに設定されているときに前記第２送信手段からの前記錠制御信号が前記第２赤外線通信手段により受信されかつ当該受信錠制御信号に含まれる暗号コードと前記第２メモリに設定された暗号コードとの一致が前記暗号コード照合手段により確認されたときには、前記開閉制御手段は前記受信錠制御信号に含まれる開閉信号に応じて前記錠の開閉制御を行い、前記自動モードが前記第２メモリに設定されているときに前記第２送信手段からの前記錠制御信号が前記第２赤外線通信手段により受信されかつ当該受信錠制御信号に含まれる暗号コードと前記第２メモリ設定された暗号コードとの一致が前記暗号コード照合手段により確認されたときには、前記開閉制御手段は前記レベル検出手段により検出された受信レベルが所定の第１レベルより小さいときは前記錠を閉とし、前記受信レベルが前記第１レベルより大きな値に定められた第２レベルより大きいときは前記錠を開とするように制御する機能を有したことを特徴とするセキュリティシステムを開示する。
【０００７】
【発明の実施の形態】
以下、本発明の実施の形態を説明する。図１は、本発明になるセキュリティシステムの構成例を示すブロック図で、錠部１と携帯電話機２から成っている。錠部１には、電子的にその開閉が制御される錠１１、ＭＰＵ１２、記憶装置１３、入力キー１４、赤外線通信部１５が備えられている。一方、携帯電話機２には、ＭＰＵ２１、記憶装置２２、入力キー２３、表示装置２４、マイク２５、スピーカー２６等が携帯電話機としての通常の機能実現のために設けられている他に、外部装置とその情報授受のための赤外線通信部２７が設けられていて、錠部１の赤外線通信部１５と交信し、錠１１の開閉信号等を錠部１へ送信できる機能を持っている。
【０００８】
錠部１の赤外線通信部１５は、携帯電話機から信号が送られてくると、これを受信、復調してＭＰＵ１２へ送出する。ＭＰＵ１２は、赤外線通信部１５から暗号コードが入力されたとき、予め記憶装置１３に格納された暗号コードと入力された暗号コードとを比較し、一致していれば、錠１１の開閉制御を行う。また、入力キー１４から閉信号が入力されると錠１１の閉制御を行う。
【０００９】
携帯電話機２には、通常の携帯電話機としての諸機能の他に、前述の赤外線通信部２７を介しての錠部１への信号を入力し、送信する機能が設けられている。この機能は、暗号コードを入力し、これを記憶装置２２へセットし、また赤外線通信部２７、１５経由で錠部１へ送信して記憶装置１３へセットしたり、設定された暗号コードの変更や消去を行う暗号コード設定更新機能と、錠の開閉を手動モードで行うか自動モードで行うかを記憶装置１３、２２へセットする錠開閉モード設定機能と、錠の開閉信号と暗号コードを錠部１へ送出する機能である。
【００１０】
図２は、携帯電話機２による暗号コード及び錠開閉モードの設定時の動作を示すフローチャートで、携帯電話機のキー操作で設定モードを選択し、暗号コードの新規セット、更新、消去等を行うかを選択する（ステップ２０１）。暗号コード更新等を行うときは次にユーザがキー操作でセットする内容（暗号コードもしくは消去指示）を入力し、それが終わると（ステップ２０２でＹＥＳ）、入力内容を記憶装置２２へセットする（ステップ２０３）。これは、暗号コードの新規もしくは更新入力のときは入力された暗号コードのセットであり、消去のときは既にセットされている暗号コードの消去を行うことである。さらに入力された情報を赤外線通信部２７、１５経由で錠部１へ送信する（ステップ２０４）。ここまでの動作はＭＰＵ２１により制御される。錠部１では、携帯電話機から暗号コードが送られてくるとこれを赤外線通信部１５で受信復調し、復調した暗号コードを記憶装置１３へＭＰＵ１２の制御によりセットする（ステップ２０５）。
【００１１】
携帯電話機２では、暗号コードの更新等の操作が終了するか、あるいは暗号コードの更新を行わない選択が行われたとき（ステップ２０１でＮＯ）。次に錠開閉モード更新等を行うか否かをユーザがキー操作で選択する（ステップ２０６）。更新等のときは錠開閉モード（手動／自動）の入力を待ち、入力が完了すると（ステップ２０７でＹＥＳ）、そのモードを記憶装置２２へセットし（新規、更新又は消去、ステップ２０８）、次いで入力内容を錠部へ送信する（ステップ２０９）。ステップ２０６〜２０９の動作はＭＰＵ２１により制御される。錠部１では、携帯電話機２から送られてきた情報に従って、記憶装置２２の錠開閉モードの新規セット、更新又は消去をＭＰＵ１２の制御により行う（ステップ２１０）。
【００１２】
以上の動作が終わると、設定結果を携帯電話機の表示装置２４に表示し（ステップ２１１）、その表示内容でよければユーザが終了操作を行うことによって（ステップ２１２でＹＥＳ）、設定動作を終了するが、終了でないときはステップ２０１へ戻って最初からやり直す。以上の設定機能によれば、ユーザが替わったときなど、暗号コードの更新が容易で、セキュリティが向上する。この結果は複数の錠が取り付けられている場合でも変わらない。
【００１３】
図３は、錠開閉モードとして手動モードが設定されているときの、錠開閉動作を示すフローチャートである。携帯電話機２を所持したユーザが、キー操作により錠開閉を行う機能を選択すると、まず、記憶装置２２にセットされている錠開閉モードが「手動」かを調べ（ステップ３０１）、「手動」でないときは動作を終了するが、「手動」がセットされているときは、ユーザによる暗号コードと開か閉かを指示する入力を待つ（ステップ３０２）。この入力が完了するとその入力データを錠部１へ送信する（ステップ３０３）。ここまではＭＰＵ２１の制御による。錠部１では、受信した信号中の暗号コードと記憶装置１３にセットされている暗号コードとが一致するかを調べ、一致していたときだけ入力された開／閉指示に従って錠１１の開／閉をＭＰＵ１２の制御により行い（ステップ３０４、３０５）、処理を終了する。なおこの手動動作の場合、ステップ３０２でユーザに暗号コードを入力させる代わりに、記憶装置１３にセットされた暗号コードを読み出してこれを送信するようにしてもよい。またキー操作でユーザに暗号コードを入力させる場合は、その入力された暗号コードと記憶装置２２にセットされた暗号コードを照合し、異なっているときは正しい入力を促す表示を行うようにしてもよい。
【００１４】
図４は、錠開閉モードとして自動モードが設定されているときの、錠開閉動作を示すフローチャートである。このモードでは、携帯電話機２は、その電源が入った状態では赤外線通信部２７から常時、記憶装置２２にセットされている暗号コードを送出している。従って錠の開閉制御は、錠部１のＭＰＵ１２のみにより行われる。即ち、赤外線通信部１５で復調可能な受信レベルの閾値Ｒ０以上の信号が入力されると（ステップ４０１でＹＥＳ）、まず記憶装置１３にセットされた錠開閉モードが「自動」かを調べ（ステップ４０２）、「自動」のときは受信復調した暗号コードと記憶装置１３にセットされた暗号コードとの一致を調べる（ステップ４０３）。一致していれば受信信号レベルＲ（＞Ｒ０）を検出し（ステップ４０４）、このレベルＲに応じて以下のように錠開閉を行う。このために、予め２つの閾値Ｒ１、Ｒ２（Ｒ２＞Ｒ１＞Ｒ０）が記憶装置１３にセットされているものとする。まず錠１１は今閉状態か開状態かを調べ（ステップ４０５）、閉状態で受信レベルＲが閾値Ｒ２より大きいときは錠１１を開とし（ステップ４０６、４０７）、現在開状態で受信レベルＲが閾値Ｒ１より小さいときは錠１１を閉とする（ステップ４０８、４０９）。このステップ４０６〜４０９の開閉制御は、図５に示したように閉→開の閾値Ｒ２を開→閉の閾値Ｒ１より大きくすることでヒシテリシス特性をもたせ、錠開閉動作のチャッタリングを防止するためである。以上の手動又は自動モードによる錠開閉動作によると、ユーザは携帯電話機を「合鍵」として使うことになるから、外出時の鍵の所持が不要となる。
【００１５】
なお、以上に示した図２〜図４の動作時には、赤外線通信部１５と赤外線通信部２７が交信可能となるように携帯電話機２の位置、姿勢が保持されているものとする。このためには、特に自動モードの開閉動作のためには、赤外線通信部１５、２７の赤外線発光／受光の指向性が少ないものが好ましく、できれば全方向での送受光が可能な構造のものが好ましい。
【００１６】
【発明の効果】
本発明によれば、入居者が替わったときなどに錠の取り換えを行わなくてもセキュリティが確保できる効果があり、また合鍵を持ち歩く必要がなくなるという利点もある。
【図面の簡単な説明】
【図１】本発明になるセキュリティシステムの構成例を示すブロック図である。
【図２】設定動作のフローチャートである。
【図３】手動モード時の錠開閉動作のフローチャートである。
【図４】自動モード時の錠開閉動作のフローチャートである。
【図５】自動モード時の錠開閉制御の説明図である。
【符号の説明】
１　　錠部
２　携帯電話機
１１　錠
１２、２１　ＭＰＵ
１３、２２　記憶装置
１４、２３　入力キー
１５、２７　赤外線通信部
【図１】
2004124628.tif 000003
【図２】
2004124628.tif 000004
【図３】
2004124628.tif 000005
【図４】
2004124628.tif 000006
【図５】
2004124628.tif 000007